(57)【特許請求の範囲】
【請求項１】
複数の図柄が表示された複数のリールと、
前記各リールを個別に回転させるための複数のモータと、
前記モータの駆動を開始させるためのスタート信号を出力するためのスタートスイッチと、
前記各リールに対応し、当該各リールの前記モータの駆動を停止させるためのストップ信号を個々に出力するための複数のストップスイッチと、
前記リールを停止するか停止しないかの停止・非停止の２状態を意味する１ビットデータが、前記各リールに表示された図柄に対応するコマ番号毎に記憶された停止位置指定テーブルと、
前記ストップ信号の入力時の前記コマ番号に記憶された１ビットデータを読み取り、当該読み取った１ビットデータが当該リールの停止を意味する１ビットデータである場合には、当該コマ番号を意味するサーチ信号を出力し、また、前記ストップ信号の入力時の前記コマ番号に記憶された１ビットデータを読み取り、当該読み取った１ビットデータが当該リールの非停止を意味する１ビットデータである場合には、当該コマ番号から直近の停止を意味する１ビットデータをサーチし、当該停止を意味する１ビットデータの前記コマ番号を読み取り、読み取った当該コマ番号を意味するサーチ信号を出力するためのテーブルサーチ手段と、
前記スタートスイッチから出力された前記スタート信号にもとづいて、前記複数のモータの駆動を開始させ、前記テーブルサーチ手段から出力された前記サーチ信号から前記コマ番号を読み取り、当該コマ番号に対応した位置に当該リールを停止させるように前記モータの駆動を制御するリール駆動制御手段とを備えたことを特徴とするスロットマシン。
【発明の詳細な説明】
【０００１】
【発明の属する技術分野】
この発明は、スロットマシンに関し、特にデータの記憶容量を減少することができるようにしたものである。
【０００２】
【従来の技術】
従来、この種のスロットマシンとしては、次の発明が知られている。
（１）特開平６−３０４３００号公報
上記した従来のスロットマシンでは、停止コマ数指定テーブルを使用して、リールの停止制御を行っていた。
【０００３】
以下に、図４，５を用いて、従来の停止コマ数指定テーブルについて説明する。
図４は、従来の停止コマ数指定テーブルの説明図、図５は図柄配列テーブルの説明図をそれぞれ示すものである。
上記従来の停止コマ数指定テーブルには、図４に示すように、コマ番号毎に、例えば「０」〜「４」迄の進み駒数が記録されていた。
【０００４】
例えば、図４の第１リールのコマ番号「５」の位置でストップスイッチ（図示せず）からの停止信号を入力すると、当該コマ番号のデータを読み出す。当該データには、「３」が記載されているので、「３」コマ先のコマ番号に相当する図柄を停止する。「３」コマ先のコマ番号は、コマ番号「２」である。このため、コマ番号「２」の位置に、第１リールを停止させる。
【０００５】
前記コマ番号「５」は、図５に示す図柄配列テーブルを参照すると、「７」の図柄に相当し、コマ番号「２」は「ベル」の図柄が相当する。
その結果、「７」の図柄の位置で、ストップスイッチを操作すると、「７」の図柄を通過し、「ベル」の図柄で第１リールが停止する。
【０００６】
【発明が解決しようとする課題】
しかし、上記した従来の停止コマ数指定テーブルでは、進みコマ数として例えば「０」〜「４」の５種類のデータを記述していた。
このため、５種類のデータを記述するために、各コマ番号毎に３ビットデータが必要であるという問題点があった。
【０００７】
そこで、各請求項にそれぞれ記載された各発明は、上記した従来の技術の有する問題点に鑑みてなされたものであり、その目的とするところは、次の点にある。
（請求項１）
すなわち、請求項１記載の発明は、データの記憶容量を減少することができるようにしたものである。
【０００８】
すなわち、請求項１記載の発明は、リールの停止位置情報を停止・非停止を意味する「０」、「１」の１ビットデータで記述し、また、このデータ記述方式を利用した新規なサーチ方式を提供し、また、このサーチ方式を利用した新規なリール駆動制御方式を提供することができるようにしたものである。
【００１１】
【課題を解決するための手段】
（特徴点）
各請求項にそれぞれ記載された各発明は、上記した各目的を達成するためになされたものであり、各発明の特徴点を図面に示した発明の実施の形態を用いて、以下に説明する。
【００１２】
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものでない。
（請求項１）
請求項１記載の発明は、次の点を特徴とする。
【００１３】
すなわち、停止位置情報は、例えば図２に示すように、当該リール（例えば第１〜第３リール61〜63）を停止するか、停止しないかの停止・非停止の２状態を意味する１ビットデータで記述されている。
【００１４】
また、テーブルサーチ手段(22)は、ストップ信号の入力時のコマ番号に記憶された１ビットデータを読み取り、当該読み取った１ビットデータが当該リール（例えば第１〜第３リール61〜63）の非停止を意味する１ビットデータである場合には、当該コマ番号から直近の停止を意味する１ビットデータをサーチし、当該停止を意味する１ビットデータのコマ番号を読み取り、読み取った当該コマ番号を意味するサーチ信号を出力する。
【００１５】
また、リール駆動制御手段(23)は、サーチ信号からコマ番号を読み取り、当該コマ番号に対応した位置に当該リール（例えば第１〜第３リール61〜63）を停止させるように制御する。
【００１６】
【発明の実施の形態】
（図面の説明）
図１〜３は、本発明の実施の形態の一例を示すものである。
図１は、スロットマシンのブロック図、図２は図１に示す停止位置指定テーブルの一例を示す説明図、図３は図２の第１リールの停止位置指定テーブルを用いた説明図をそれぞれ示すものである。
（スロットマシン）
図中、10は、スロットマシンを示すものである。
【００１７】
上記スロットマシン10は、図１に示すように、遊技制御装置20を中心に構成されている。
上記遊技制御装置20は、図示しないが、ＣＰＵ、ＲＯＭ、ＲＡＭ、Ｉ／Ｏ等から構成され、ＲＯＭ内に記録されたプログラム及びデータを読み込むことで、後述する各種手段やテーブル21〜23として機能する。
【００１８】
遊技制御装置20の入力段には、図１に示すように、次の手段やスイッチが接続されている。
（１）メダル投入手段30
（２）スタートスイッチ40
（３）ストップスイッチ50
なお、遊技制御装置20の入力段に接続されている手段やスイッチは、上記３つの手段やスイッチに限定されるものでなく、他のセンサー類を接続しても良い。
【００１９】
遊技制御装置20の出力段には、次のユニットが接続されている。
（１）リールユニット60
（２）ホッパーユニット70
なお、遊技制御装置20の出力段に接続されているユニットは、上記２つのユニットに限定されるものでなく、他の装置類を接続しても良い。
【００２０】
遊技制御装置20は、図１に示すように、次の手段やテーブルを備えている。
（１）停止位置指定テーブル21
（２）テーブルサーチ手段22
（３）リール駆動制御手段23
なお、遊技制御装置20に備えている手段やテーブルは、上記３つの手段やテーブルに限定されるものでなく、他の手段やテーブル等を含んでいても良い。
（メダル投入手段30）
メダル投入手段30は、図示しないが、遊技者が投入したメダルを検出するメダルセンサーや、スロットマシン10内にクレジットされたクレジットメダルを機内に投入するためのクレジットメダル投入スイッチ等から構成されている。
（スタートスイッチ40）
スタートスイッチ40は、リールユニット60の駆動を開始させるためのスタート信号を出力するためのものである。
（ストップスイッチ50）
ストップスイッチ50は、図示しないが、複数個、例えば３個設けられている。３個の各ストップスイッチ50は、リールユニット60の駆動を停止させるためのストップ信号を個々に出力するためのものである。
（リールユニット60）
リールユニット60は、リール61〜63と、モータ64〜66とから構成されている。
【００２１】
リール61〜63は、図示しないが、複数個、例えば３個設けられている。３個の各第１〜第３リール61〜63には、複数、例えば２１個の図柄がそれぞれ表示されている。
モータ64〜66は、図示しないが、複数個、例えば３個設けられている。３個の各第１〜第３モータ64〜66は、第１〜第３リール61〜63を個別に回転させるためのものである。
（停止位置指定テーブル21）
停止位置指定テーブル21は、図示しないが、複数個設けられ、乱数の抽選等により択一的に選択されて使用される。
【００２２】
停止位置指定テーブル21は、例えば図２に示すように、各第１〜第３リール61〜63の図柄に対応する、例えば「１」〜「２１」迄のコマ番号毎に、当該第１〜第３リール61〜63の停止位置を指定するための停止位置情報が記憶されている。
上記停止位置情報は、第１〜第３リール61〜63を停止するか、停止しないかの停止・非停止の２状態を意味する１ビットデータで記述されている。
【００２３】
具体的には、１ビットデータの「０」は、非停止を意味し、「１」は停止を意味する。
なお、「０」と「１」とは逆であっても良く、又、１ビットデータを更に圧縮して記述しても良い。例えば、「１」が連続しないという条件で有れば、「０」と「１」とが連続する場合には、「１」と記述することで、１ビットデータを圧縮することが可能である。例えば、コマ数が「２１」個有る場合には、２１ビットが必要である。例えば、図２に示す第１リール61の「０１」の並びを、「１」と記述すると、「１」が５個有るので、１５ビットに圧縮して記述可能である。展開時に「１」を、「０１」と展開すれば、元の２１ビットのデータに復元することが可能である。
（テーブルサーチ手段22）
テーブルサーチ手段22は、各ストップスイッチ50からのストップ信号の入力を条件に、停止位置指定テーブル21に記憶された停止位置情報を読み取り、読み取った停止位置情報を意味するサーチ信号を出力するためのものである。
【００２４】
テーブルサーチ手段22は、ストップ信号の入力時のコマ番号に記憶された１ビットデータを読み取り、当該読み取った１ビットデータが当該第１〜第３リール61〜63の非停止を意味する１ビットデータ、すなわち「０」である場合には、当該コマ番号から直近の停止を意味する１ビットデータ、すなわち「１」をサーチし、「１」が記録されたコマ番号を読み取り、読み取った当該コマ番号を意味するサーチ信号を出力する。
【００２５】
すなわち、図３に示すように、ストップ信号の入力時のコマ番号が、「１２」の場合には、テーブルサーチ手段22は、コマ番号「１２」の１ビットデータを読み取る。このとき、コマ番号「１２」の１ビットデータは、「０」で、非停止を意味する。
そこで、テーブルサーチ手段22は、コマ番号の少ないものに向かって、停止を意味する「１」のサーチを開始する。サーチの結果、コマ番号「９」に、停止を意味する「１」が記録されている。
【００２６】
その結果、テーブルサーチ手段22は、「１」が記録されたコマ番号を読み取り、コマ番号「９」を意味するサーチ信号をリール駆動制御手段25に出力する。
一方、ストップ信号の入力時のコマ番号に記憶された１ビットデータが、停止を意味する「１」の場合には、テーブルサーチ手段22は、当該コマ番号を意味するサーチ信号をリール駆動制御手段25にそのまま出力する。
（リール駆動制御手段23）
リール駆動制御手段23は、スタートスイッチ40から出力されたスタート信号にもとづいて、第１〜第３モータ64〜66の駆動を開始させるためのものである。
【００２７】
また、リール駆動制御手段23は、テーブルサーチ手段22から出力されたサーチ信号にもとづいて、操作されたストップスイッチ23に対応する第１〜第３リール61〜63の第１〜第３モータ64〜66の駆動を停止させるためのものである。
すなわち、リール駆動制御手段23は、サーチ信号からコマ番号を読み取り、当該コマ番号に対応した位置に当該第１〜第３リール61〜63を停止させるように制御する。
【００２８】
例えば、図３に示すように、ストップ信号の入力時のコマ番号が、「１２」の場合には、コマ番号「９」の位置でリール61を停止させる。すなわち、ストップスイッチ23の操作時点のコマ番号は、「１２」であり、図５に示す従来の図柄配列テーブルを参照すると、「７」の図柄に相当する。そして、サーチ信号のコマ番号は、「９」であり、図５に示す従来の図柄配列テーブルを参照すると、「魔女」の図柄に相当する。このため、「７」の図柄の位置で、ストップスイッチ23を操作すると、実際には「魔女」の図柄が停止することとなる。
【００２９】
【発明の効果】
本発明は、以上のように構成されているので、以下に記載されるような効果を奏する。
（請求項１）
請求項１記載の発明によれば、次のような効果を奏する。
【００３０】
すなわち、請求項１記載の発明によれば、データの記憶容量を減少することができる。
すなわち、請求項１記載の発明によれば、停止位置データを停止・非停止を意味する「０」、「１」の１ビットデータで記述することができ、また、このデータ記述方式を利用した新規なサーチ方式を提供することができ、また、このサーチ方式を利用した新規なリール駆動制御方式を提供することができる。
【図面の簡単な説明】
【図１】スロットマシンのブロック図である。
【図２】図１に示す停止位置指定テーブルの一例を示す説明図である。
【図３】図２の第１リールの停止位置指定テーブルを用いた説明図である。
【図４】従来の停止コマ数指定テーブルの説明図である。
【図５】図柄配列テーブルの説明図である。
【符号の説明】
10  スロットマシン            20  遊技制御手段
21  停止位置指定テーブル      22  テーブルサーチ手段
23  リール駆動制御手段        30  メダル投入手段
40  スタートスイッチ          50  ストップスイッチ
60  リールユニット            61〜63  第１〜第３リール
64〜66  第１〜第３モータ      70  ホッパーユニット
【図１】
0003757047.tif 000002
【図２】
0003757047.tif 000003
【図３】
0003757047.tif 000004
【図４】
0003757047.tif 000005
【図５】
0003757047.tif 000006